(57)【要約】      （修正有）【課題】衣服の袖口に締め付け用バンドを取付ける作業が省略出来ると同時に外観面でも意匠効果を発揮し、衣服の袖口から寒風や粉塵などの侵入を防ぎたいときに袖口を簡単に締め付けることが出来る衣服のアジャスター用帯状織物を提供する。【解決手段】帯状織物の長さ方向において、上下に分離された二重織の領域と、その領域の隣接または近傍にパイル織物４の領域の二つの領域が含まれる所定の長さを一単位として繰り返す。アジャスター用帯状織物１であって、二重織物の領域における上側織物３Ｂの幅と、パイル織物４の領域におけるパイル織物４部分の幅は帯状織物１の幅より狭く、上側織物３Ｂの幅とパイル織物４部分の幅は同一であり、帯状織物１の幅方向に対する配置が同じである。【選択図】図１
0003220179.tif 000002
【実用新案登録請求の範囲】
【請求項１】
帯状織物の長さ方向において、上下に分離された二重織の領域と、その領域の隣接または近傍にパイル織の領域の二つの領域が含まれる所定の長さを一単位として繰り返されていることを特徴とするアジャスター用帯状織物。
【請求項２】
前記二重織物の領域における上側織物の幅と、前記パイル織物の領域におけるパイル織部分の幅は前記帯状織物の幅より狭く、上側織物の幅とパイル織部分の幅、および帯状織物の幅方向に対する配置が同じであることを特徴とする請求項1記載のアジャスター用帯状織物。
【請求項３】
帯状織物の経糸の一部に弾性繊維糸が配列され、長さ方向に伸縮性を有することを特徴とする請求項１または２記載のアジャスター用帯状織物。
【請求項４】
前記二重織物における上側織物と下側織物の結節部において、パイル織物に隣接または近傍する側の結節部が切断され、上側織物の切断側端部の下面に面ファスナー用のフック状雄型係合素子片が取り付けられていることを特徴とする請求項１〜３いずれか１項記載のアジャスター用帯状織物。
【請求項５】
請求項１〜４記載の何れか1項記載のアジャスター用帯状織物を衣服の袖、裾、ウエスト、帽子の中から選ばれた一つ、または複数に縫着されていることを特徴とする衣服
【考案の詳細な説明】
【技術分野】
【０００１】
本考案は、衣服の袖口から寒風や、粉塵などの侵入を防ぐために袖口を絞るのに特に有効なアジャスター用の帯状織物、およびそれを縫着した衣服に関する。
【背景技術】
【０００２】
上着の袖口は寒風や粉塵などの侵入防止を目的に伸縮性基材などが取り付けられて絞られているが、伸縮の度合いや手首の太さなどによって十分な密着度が得られない、あるいは手首への圧迫による不快感などが生じる問題がある。
【０００３】
その様な状況下において、普段は余裕を持たせ、必要な時に調整しながら絞るという方法がいくつか提案されている。例えば、特許文献１では袖口廻りを内側と外側とで２分し、片半分を本体生地と同等で他の片半分はジャージ生地をなし、上記生地の境目位置の１つに面ファスナー付きの締付用帯片を取付け、係合させる手段が提案されている。
【０００４】
また、特許文献２では袖口に先端に面ファスナーの雄係合素子が取り付けられた締め付けバンドと面ファスナーの雌係合素子を縫い付け、締め付けバンドにより袖口を絞り込んだ状態で面ファスナーを係合させる方法が提案されている。
【先行技術文献】
【特許文献】
【０００５】
【特許文献１】実用新案登録第３１１８２０５号公報
【特許文献２】実用新案登録第３１１６０９９号公報
【考案の概要】
【考案が解決しようとする課題】
【０００６】
しかしながら、従来技術は比較的に簡単に留め外しが出来るものの袖口に締付用帯片を取り付ける縫製作業が面倒であるし、また袖口に異質な締め付けバンドを縫い付けているために外観面において見苦しいという問題があった。
【０００７】
そこで、本考案にあっては、衣服の袖口に締め付け用バンドを取付ける作業が省略出来ると同時に外観面でも意匠効果を発揮し、衣服の袖口から寒風や粉塵などの侵入を防ぎたいときに袖口を簡単に締め付けることが出来る衣服のアジャスター用帯状織物を提供することにある。
【課題を解決するための手段】
【０００８】
本考案者が上記技術的課題を解決するために採用した手段を、添付図面を参照して説明すれば、次のとおりである。
【０００９】
即ち、本考案は、帯状織物の長さ方向において、上下に分離された二重織の領域と、その領域の隣接または近傍にパイル織の領域の二つの領域が含まれる所定の長さを一単位として繰り返されているアジャスター用帯状織物を完成させた。
【００１０】
また、本考案は、前記二重織物の領域における上側織物の幅と、前記パイル織物の領域におけるパイル織部分の幅は前記帯状織物の幅より狭く、上側織物の幅とパイル織部分の幅、および帯状織物の幅方向に対する配置が同じである技術的手段を採用することができる。
【００１１】
更にまた、帯状織物の経糸の一部に弾性繊維糸が配列されて長さ方向に伸縮性を有するという技術的手段を採用することができる。
【００１２】
更にまた、前記二重織物における上側織物と下側織物の結節部において、パイル織物の隣接または近傍する側の結節部が切断され、上側織物の切断側端部の下面に面ファスナー用のフック状雄型係合素子片が取り付けられているという技術的手段を採用することができる。
【００１３】
また、本考案のアジャスター用帯状織物を衣服の袖、裾、ウエスト、帽子の中から選ばれた一つ、または複数に縫着された衣服を含むことができる。
【考案の効果】
【００１４】
本考案にあっては、上下に分離された二重織の領域と、その領域の隣接または近傍にパイル織の領域の二つの領域が含まれている帯状織物を衣服の袖口として用い、二重織の上側織物を締め付けバンドとすることが出来るので、新たなバンドを準備することや、それを取り付ける作業が不要となり、製造コストが安価となる。
【００１５】
締め付けバンドとする二重織の上側織物、および面ファスナーの雌型係合素子となるパイル織部は縫製されていないので、見た目の外観が自然体であり、さらには上側織物の幅を下側織物幅より狭くし、下側織物の幅方向の中央に位置させることで意匠効果を兼ねることが出来る。
【００１６】
また、帯状織物の経糸に弾性糸を配列させて伸縮性を持たせることによって、袖口の締め付け作用がより確実なものとなる。
【図面の簡単な説明】
【００１７】
【図１】本考案の実施形態のアジャスター用帯状織物の斜視図である。
【図２】本考案の実施形態のアジャスター用帯状織物を実施するための準備方法を示す斜視図である。
【図３】本考案の実施形態のアジャスター用帯状織物を袖口に取り付けた状態を表わす説明図である。
【図４】本考案の実施形態のアジャスター用帯状織物を袖口に別の方法で取り付けた状態を表わす説明図である。
【考案を実施するための形態】
【００１８】
本考案を実施するための形態を、具体的に図示した図面に基づいて、更に詳細に説明すると、次のとおりである。
【００１９】
本考案の実施形態を図１から図４に基づいて説明する。図１は本考案の実施形態のアジャスター用帯状織物１を示し、通常の帯状織物２の領域Ａ、パイル織物部４を設けた領域Ｂ、そして二重織部３Ａ、３Ｂからなる領域Ｃの３つの領域が長さ方向に繰り返して製織されている。
【００２０】
例えば、本考案のアジャスター用帯状織物１を袖口に用いる場合、帯状織物２の幅は袖口の長さ方向となり、取り付ける衣服の仕様により選択されるが、一般には３０〜１００ｍｍ程度であり、また、領域Ｂのパイル織部４、および領域Ｃの上側二重織部３Ｂの幅は前記帯状織物２の幅と同一であっても良いが、帯状織物２より狭い方が外観面において優れており、好ましい幅としては１０〜３０ｍｍである。
【００２１】
また、領域Ｂのパイル織部４、および領域Ｃの上側二重織部３Ｂの幅を前記帯状織物２の幅より狭くした場合、パイル織部４と上側二重織部３Ｂの幅は同一で、両者は帯状織物２の幅方向において同位置に配置され、その位置は特に限定されないが、帯状織物２の中央部であることが外観面において好ましい。
【００２２】
パイル織の領域Ｂと二重織の領域Ｃは隣接、または近傍に配置され、各領域の長さは縫着する衣服箇所や、締め付け程度により決まるが、領域Ａの長さは１００〜２００ｍｍ、領域Ｂの長さは５０〜１００ｍｍ、領域Ｃの長さは５０〜１５０ｍｍであることが好ましい。
【００２３】
本考案のアジャスター用帯状織物１を構成する織糸としては特に限定されることが無く、合成繊維からなる加工糸や天然繊維の紡績糸等を用いることが出来、特にパイル糸については面ファスナーのフック係合素子と繰り返し係合させることから耐摩耗性に優れた素材であることが好ましく、例えば、単糸繊度が１．５〜２３５ｄｔｅｘ程度の太い単糸から成るポリエステルまたはポリアミドのマルチフィラメント糸の加工糸であることが好ましい。
【００２４】
パイル織物部４のパイル組織としては特に限定されないが、パイル糸以外の経糸に熱収縮糸を配列、そして経糸のパイル糸を長浮にして帯状織物の長さ方向に熱収縮させることで、パイル糸の長浮き部がループ状のパイルを容易に形成させることできる。また、熱収縮糸の代りに弾性糸を部分的に使用して弾性糸による収縮によりループパイルを形成させることが出来る。
【００２５】
パイルの長さとしては２〜５ｍｍ程度で良く、パイルが面ファスナーの雌型係合素子として有効に作用させるために予めパイル糸に５０〜３００ターン／ｍ程度の撚りを加えておけばパイル糸の解撚トルクにより捻じれ状のループパイルとなることから確実な係合作用が得られる。
【００２６】
また、経糸の一部にポリウレタン繊維などの弾性糸を配列させることが出来、そうすることによって伸縮性が増し、衣服の袖口などに取り付けて締め付ける際に確実な締め付けが容易であり、同時に締め付け後においても締め付け作用が常に働いているので、手首の動きなどで隙間が生じたりすることを防げる効果がある。
【００２７】
図２は実際に袖口用として実施する際の準備工程を説明する為の図であって、まず上側の二重織３Ｂのパイル織物部４側の結節部を切断し、締め付けの程度を鑑みて締め付けバンドとなる二重織３Ｂを適当な長さに切断し、その二重織３Ｂの切断端側に面ファスナーのフック係合素子５を縫製、または接着により取付ける。
【００２８】
次いで、帯状織物２の領域Ａの部分、または二重織の下側織物３Ａの部分で切り離しするが、その切断位置は袖口に取付けた際にその切断部、あるいは上側二重織３Ｂからなる締め付けバンド位置が袖口周りのどこに配置させるかにより決めれば良い。
【００２９】
図３は実際に衣服の袖部６に本考案のアジャスター用帯状織物１を取り付けた一例、を示したもので、アジャスター用帯状織物１の切断部は二重織の下側織物３Ａの部分で切断して袖口に取り付けられ、図中（イ）で示したように袖口を一周した切断部同士は上下に合わさり、締め付け後は図中（ロ）に示すように切断部同士の重なり部分を増大して手首を締め付けることが出来る。
【００３０】
なお、図３に示す方法において、締め付け量を大きくしたい場合には二重織領域Ｃの長さを長くして、必要によっては締め付けバンドとなる上側織物３Ｂを切断により短くすることが好ましい。
【００３１】
図４は本考案のアジャスター用帯状織物１の帯状織物２の領域Ａの部分で切断した例を示し、この場合の切断部同士は突き合わせて縫合し、締め付け時には二重織領域Ｃの箇所を折り畳むようにして手首を締め付けることが出来る。
【００３２】
本考案のアジャスター用帯状織物１について袖口に取り付けた例を示したが、袖口の他に裾、ウエスト、あるいは帽子などに用いることが出来、また本考案においては本考案のアジャスター用帯状織物１を縫着した衣服も含まれる。
【符号の説明】
【００３３】
１：アジャスター用帯状織物
２:帯状織物
３Ａ：下側二重織物
３Ｂ：上側二重織物
４パイル織物部
５：フック係合素子（雄型係合素子）
６：衣服の袖部
７：縫合部
【図１】
0003220179.tif 000003
【図２】
0003220179.tif 000004
【図３】
0003220179.tif 000005
【図４】
0003220179.tif 000006
【手続補正書】
【提出日】平成30年12月6日(2018.12.6)
【手続補正１】
【補正対象書類名】実用新案登録請求の範囲
【補正対象項目名】請求項２
【補正方法】変更
【補正の内容】
【請求項２】
前記二重織物の領域における上側織物の幅と、前記パイル織物の領域におけるパイル織部分の幅は前記帯状織物の幅より狭く、上側織物の幅とパイル織部分の幅は同一であり、帯状織物の幅方向に対する配置が同じであることを特徴とする請求項1記載のアジャスター用帯状織物。